(57)【特許請求の範囲】
【請求項１】
精穀室（１）に連通する送穀室（２）に玄米を落下させる供給路（３）を設け、その供給路（３）の上下に該供給路（３）を開閉するシャッタ（４）と落下流量を調節する供給量調節弁（５）を併設した精米機であって、供給量調節弁（５）の開時においてシャッタ（４）を閉状態で強制的にロックする構成にしたことを特徴とする精米機の玄米供給装置。
【請求項２】
供給量調節弁（５）の閉操作により閉状態のシャッタ（４）のロックを解除する構成にしたことを特徴とする請求項１．記載の精米機の玄米供給装置。
【請求項３】
シャッタ（４）の開閉作動杆（６）と供給量調節弁（５）の調節操作杆（７）の間に、調節操作杆（７）の押圧により開閉作動杆（６）との係合を解除するロック手段（Ｌ）を介装してあることを特徴とする請求項２．記載の精米機の玄米供給装置。
【請求項４】
シャッタ（４）が閉でロック状態のとき、または、供給量調節弁（５）が閉でシャッタ（４）がロック解除状態であることを示す指針（８）を調節操作杆（７）を連動する調節ダイヤル（９）に取着してあることを特徴とする請求項３．記載の精米機の玄米供給装置。
【発明の詳細な説明】
【０００１】
【発明の属する技術分野】
この発明は、研削式等の精米機において、精穀室に連通する送穀室に玄米を落下させる供給路を設け、その供給路の上下に該供給路を開閉するシャッタと落下流量を調節する供給量調節弁を併設した精米機の玄米供給装置に関するものである。
【０００２】
【従来の技術】
従来、精米機においてはシャッタの開閉作動と供給量調節弁の調節操作は個々に単独で行う構成になっていて、精米機の運転を開始するとき、供給量調節弁を少なくとも標準量以下の量が供給される状態に予め設定しておいてシャッタを開することによって玄米を送穀室から精穀室に供給するようにし、運転開始にあたって精穀室内において無理な負荷がかからないように注意をはらっている。
【０００３】
【発明が解決しようとする課題】
このように、従来の精米機にあっては、運転の開始にあたって精穀室内において無理な負荷がかかって詰まりを生ずることのないようにオペレ−タは注意をはらわねばならない。しかし、時にはオペレ−タは操作手順を間違えて詰まりを発生させ無駄な労力と時間を費やすことになるから、本発明は詰まりの発生を防止して無駄な労力と時間を費やすことのないものにすることにより取扱性をよくし能率を向上させるものを具現せんとするものである。
【０００４】
【課題を解決するための手段】
そこで、本発明はこの課題を解決する手段として、精穀室に連通する送穀室に玄米を落下させる供給路を設け、その供給路の上下に該供給路を開閉するシャッタと落下流量を調節する供給量調節弁を併設した精米機であって、供給量調節弁の開時においてシャッタを閉状態で強制的にロックする構成にしたので、運転開始時供給量調節弁が開いているときはシャッタはロックされて開かないから、オペレ−タが誤ってシャッタを開し一度に多量の玄米が供給されるのを防止することができる。
【０００５】
加えて、供給量調節弁の閉操作により閉状態のシャッタのロックを解除する構成のものにすることによって、閉状態のシャッタを開くときは必ず供給量調節弁が閉になっていて一度に多量のものが供給されないようになる。
【０００６】
そして、シャッタの開閉作動杆と供給量調節弁の調節操作杆の間に、調節操作杆の押圧により開閉作動杆との係合を解除するロック手段を介装すると、ロック手段は機構が簡単なもので、供給量調節弁が閉じることによるシャッタの閉状態におけるロック解除が確実になる。
【０００７】
また、シャッタが閉でロック状態のとき、または、供給量調節弁が閉でシャッタがロック解除状態であることを示す指針を調節操作杆を連動する調節ダイヤルに取着すれば、オペレ−タはシャッタがロック状態のとき、または、ロック解除状態であることが一目で把握できて、適切な操作と作動を躊躇することなく行える。
【０００８】
【発明の実施の形態】
【実施例】
以下、本発明による玄米供給装置について実施例図を参照し具体的に説明するのであるが、この例図のものは図２に示すように研削式精米機を示し、（１０）は複数の円筒状砥石（１０ａ）・・・を連設してなる研削ロ−ル、（１１）は除糠スクリ−ンで、（１）は研削ロ−ル（１０）を除糠スクリ−ン（１１）により囲繞して研削ロ−ル（１０）と除糠スクリ−ン（１１）との間に形成された精穀室、（２）は送穀ロ−ル（１２）を内蔵した送穀室で、送穀室（２）は精穀室（１）の供給がわに連通連設して精穀室（１）内に玄米を送り込み、（１３）は排出がわに取り付けた押え金で、送穀ロ−ル（１２）とによって円筒状砥石（１０ａ）・・・を互いに接合して研削ロ−ル（１０）を構成し、送穀ロ−ル（１２）と研削ロ−ル（１０）と押え金（１３）は共に回転軸（１４）に一体的に軸着されて回転し、（１５）は除糠スクリ−ン（１１）の外側周りに形成された排糠室であって、除糠ファン（１６）から送入される風が送穀ロ−ル（１２）と研削ロ−ル（１０）の空洞内を通って噴風口（１７）から除糠風となって精穀室（１）内に吹出し、排糠室（１５）の下部がわは漏斗状になって吸引式排糠ファン（１８）に連通連結している。
【０００９】
（１９）は送穀室（２）への玄米供給用のホッパ−、（４）と（５）はホッパ−（１９）内の玄米を送穀室（２）に落下させる供給路（３）の上下に併設されて供給路（３）を開閉するシャッタと落下流量を調節する供給量調節弁であって、排出がわに設けた操作部（２０）により操作し、（２１）は精穀室（１）の排出がわの底部に設けた白米出口でウエイト付きの圧力蓋（２２）が装着されている。
【００１０】
なお、前記の研削ロ−ル（１０）を構成している円筒状砥石（１０ａ）が互いに連設する面には外周面が滑面であるリング状のスペ−サ（２３）をそれぞれ介在させるとともに、円筒状砥石（１０ａ）のうち押え金（１３）が接合する円筒状砥石（１０ａ）を除くその他の砥石（１０ａ）の排出がわの連設面は数箇所切除してスペ−サ（２３）に対設させることにより除糠風を放射状に吹出する前記の噴風口（１７）を形成している。
【００１１】
これによって、ホッパ−（１９）内の玄米はシャッタ（４）を開することにより供給量調節弁（５）で落下流量が調節されて送穀室（２）に供給され送穀ロ−ル（１２）によって連続的に精穀室（１）に送り込まれ研削ロ−ル（１０）の回転により精白作用を受け、精白作用によって生じた糠は除糠風によって除糠スクリ−ン（１１）から排糠室（１５）に排出し吸引式排糠ファン（１８）により機外に排出され、白米は圧力蓋（２２）を押し開いて白米出口（２１）から取出される。
【００１２】
次に、前記シャッタ（４）と供給量調節弁（５）について図１により詳述すると、シャッタ（４）は往復動して供給路（３）を開閉し、供給量調節弁（５）は上端を軸支し揺動自在にして供給路（３）を広狭調節し、（９）は握り部（９ａ）と軸部（９ｂ）とからなる調節ダイヤルで、その軸部（９ｂ）は排出がわの機壁（２４）に回動自在に挿通し、軸部（９ｂ）の内端部にカム体（２５）が一体的に取着され、カム体（２５）と機壁（２４）との間に圧縮バネ（２６）を介在させることにより調節ダイヤル（９）とカム体（２５）とを軸部（９ｂ）を軸にして回動操作したときの状態を保持するようにしている。
【００１３】
（７）は前記供給量調節弁（５）とカム体（２５）の間に矢印（イ）方向に移動可能に横架した調節操作杆であって、一端を供給量調節弁（５）の裏面に他端をカム体（２５）のカム面（２５ａ）に接当させスプリング（２７）により他端をカム面（２５ａ）に常時接当させている。
【００１４】
また、（６）は一端がわをシャッタ（４）に連結し他端がわを前記カム体（２５）と調節ダイヤル（９）の軸部（９ｂ）を貫通して端部を機外に突出させ調節操作杆（７）と同方向に移動自在にした開閉作動杆で、機外突出部にツマミ（６ａ）が螺着されている。
【００１５】
そして、（Ｌ）は前記の開閉作動杆（６）と調節操作杆（７）の間に介装したロック手段を示し、上下中間部を支点軸（２８）に軸着して回動自在にし、斜め上向きに突出する係合部（Ｌ１）の先端を開閉作動杆（６）に形成した凹部（２９）に係脱自在にし、下向き突出の作動部（Ｌ２）をバネ（３０）により矢印（ロ）方向に加圧して、シャッタ（４）が閉状態で係合部（Ｌ１）の先端が凹部（２８）に係合し強制的にロックするように構成している。
【００１６】
また、調節操作杆（７）にはカム体（２５）の回動により供給量調節弁（５）を閉動することにより前記ロック手段（Ｌ）の作動部（Ｌ２）をバネ力に抗して押圧する突起（３１）が溶着されて、調節ダイヤル（９）の回動による調節操作杆（７）の押圧作用によって供給量調節弁（５）が閉状態になるとき、凹部（２９）に係合している係合部（Ｌ１）の先端が仮想線で示すように脱してロックを解除させるのである。
【００１７】
（８）は調節ダイヤル（９）の握り部（９ａ）の周縁部に取着した指針、（３２）は握り部（９ａ）の周りを取り巻く表示部で、握り部（９ａ）をもって調節ダイヤル（９）を回動させて指針（８）を図３に示すように真上にセットすると、図１のように供給量調節弁（５）は全開しているが、ロック手段（Ｌ）によってシャッタ（４）は閉状態でロックされてホッパ−（１９）内の玄米を供給することはできないのである。
【００１８】
また、握り部（９ａ）を回動させて指針（８）を真下にセットすれば調節操作杆（７）によって供給量調節弁（５）は閉動して供給路（３）を全閉し、ロック手段（Ｌ）によるシャッタ（４）のロックは解除されてツマミ（６ａ）をもって開閉作動杆（６）の引き出しが自由になりシャッタ（４）を開動することができ、次いで握り部（９ａ）を適宜回動して指針（８）が表示部（３２）の適所を指す位置に回すと供給量調節弁（５）は開動してホッパ−（１９）内から適量のものを供給路（３）を通して送穀室（２）に供給するようになる。
【００１９】
【発明の効果】
本発明は、以上説明したような形態で実施され、次に記載するような効果を奏する。
【００２０】
即ち、精穀室に連通する送穀室に玄米を落下させる供給路を設け、その供給路の上下に該供給路を開閉するシャッタと落下流量を調節する供給量調節弁を併設した精米機であって、供給量調節弁の開時においてシャッタを閉状態で強制的にロックする構成にしたことにより、運転開始時供給量調節弁が開いているときはシャッタはロックされて開かないから、オペレ−タが誤ってシャッタを開し一度に多量の玄米が供給されることがないので、精穀室内で無理な負荷がかからず詰まりの発生を防止することができ、取扱性をよくして能率を向上させるものになる。
【００２１】
これに加えて、供給量調節弁の閉操作により閉状態のシャッタのロックを解除する構成のものにすることにより、閉状態のシャッタを開くときは必ず供給量調節弁が閉になっていて一度に多量のものが供給されないから急激な負荷がかからずより一層詰まりの発生を防止できるものになる。
【００２２】
そして、シャッタの開閉作動杆と供給量調節弁の調節操作杆の間に、調節操作杆の押圧により開閉作動杆との係合を解除するロック手段を介装することによって、ロック手段は機構が簡単なもので、供給量調節弁が閉じることによるシャッタの閉状態におけるロック解除を確実に行うことができる。
【００２３】
また、シャッタが閉でロック状態のとき、または、供給量調節弁が閉でシャッタがロック解除状態であることを示す指針を調節操作杆を連動する調節ダイヤルに取着することにより、オペレ−タはシャッタがロック状態のとき、または、ロック解除状態であることが一目で把握できて、適切な操作と作動を躊躇することなく迅速に実行できる。
【図面の簡単な説明】
【図１】シャッタと供給量調節弁の関連を示す側面図である。
【図２】精米機全体の概要を示す縦断側面図である。
【図３】調節ダイヤルを白米取出がわから見た図である。
【符号の説明】
１    精穀室
２    送穀室
３    供給路
４    シャッタ
５    供給量調節弁
６    開閉作動杆
７    調節操作杆
Ｌ    ロック手段
８    指針
９    調節ダイヤル
【図１】
0004044246.tif 000002
【図２】
0004044246.tif 000003
【図３】
0004044246.tif 000004